(57)【要約】      （修正有）【課題】ランプカバーが電源ボックス一端のポートをカバーし、組み立てはシンプルで、組み立て効率が高く、低コストである照明器具を提供する。【解決手段】照明器具は、互いに接続される基部と収容部とを含み、収容部の周縁は基部の内側と接し、収容部には収容溝１０１が開設されるベース１００と、少なくとも部分的に収容部に収容される電源ボックス２００と、電源ボックス内に設けられる駆動ユニット３００と、ベースに取り付けられ、接続ケーブルを介して駆動ユニットに電気接続される光源板４００と、ベースに接続されるランプカバー５００と、を含み、収容溝のランプカバーに向かう端部に、電源ボックスを入れる入口が形成され、ランプカバーは入口をカバーし、収容部のランプカバーに近い面にはケーブル収容溝１２１が開設され、ケーブル収容溝は収容溝に連通し、光源板と収容溝との間の接続ケーブルはケーブル収容溝内に配置される。【選択図】図３
0003227533.tif 000002
【実用新案登録請求の範囲】
【請求項１】
照明器具であって、
互いに接続される基部と収容部とを含み、前記基部は中空であり、前記収容部の周縁は、前記基部の内側と接し、前記収容部には収容溝が開設される、ベースと、
少なくとも部分的に前記収容部に収容される電源ボックスと、
前記電源ボックス内に設けられる駆動ユニットと、
前記ベースに取り付けられ、接続ケーブルを介して前記駆動ユニットに電気的に接続される光源板と、
前記基部に接続されるランプカバーと、を含み、
前記収容溝の前記ランプカバーに向かう端部に、前記電源ボックスを入れるための入口が形成され、前記ランプカバーは前記入口をカバーし、前記収容部の前記ランプカバーに近い面にはケーブル収容溝が開設され、前記ケーブル収容溝は前記収容溝に連通し、前記光源板と前記収容溝との間の前記接続ケーブルは前記ケーブル収容溝内に配置されることを特徴とする照明器具。
【請求項２】
前記収容溝の横断面は円形を呈し、前記収容溝の前記入口に対向する他端に端面開口を備え、前記電源ボックスは全体的に筒状を呈し、前記収容溝の溝壁には環状階段面が形成され、前記電源ボックスの外側壁の前記ランプカバーに近い端部は外側に延びてフランジを形成し、前記フランジは前記環状階段面に当接することを特徴とする請求項１に記載の照明器具。
【請求項３】
前記収容溝の溝壁の周方向には、間隔的に複数のスタッドが設けられ、各前記スタッドはそれぞれネジが接続されており、前記スタッドの少なくとも一部分は前記照明器具の中心軸に近い方向に向かって突出して伸び、
前記電源ボックスの外側壁の各前記スタッドに対応する位置は、それぞれ凹んで位置決め溝を形成し、前記スタッドは、対応する前記位置決め溝に収容され、前記フランジの各前記位置決め溝に対応する位置には、それぞれ通過孔が開設され、前記電源ボックスを前記ベースに固定するために、前記ネジは前記通過孔を通ってスタッドに接続されることを特徴とする請求項２に記載の照明器具。
【請求項４】
前記収容部は、互いに接続されている接続壁と凸状リングとを含み、前記接続壁の周縁は、前記基部の内側に接し、前記接続壁は全体的にボウル状を呈し、且つ横断面の幅は、前記照明器具の光出射端を離れる方向から前記照明器具の光出射端に近い方向まで徐々に減少し、前記接続壁の前記基部から離れる端部は開口を備え、前記凸状リングは、前記開口に設けられ、且つ前記照明器具の光出射端に離れる方向に突出して伸び、前記凸状リングの内側壁と前記接続壁は共同で収容溝が囲まれ、前記接続壁の前記ランプカバーに近い面に前記ケーブル収容溝が設けられることを特徴とする請求項１に記載の照明器具。
【請求項５】
前記ランプカバーは、一体的に成形される平面状リングと、接続アームと、カバー体とを含み、前記平面状リングは、前記基部と着脱可能に接続され、前記平面状リングは内部が中空であり、且つ環状を呈し、前記カバー体の横断面は円形を呈し、前記接続アームは、前記平面状リングの内側と前記カバー体の周縁との間に接続され、前記接続アームは前記ケーブル収容溝をカバーし、前記カバー体は、収容溝の入口をカバーすることを特徴とする請求項４に記載の照明器具。
【請求項６】
前記接続アームは、前記接続壁に密着され、前記カバー体は前記収容溝の入口の端面に当接することを特徴とする請求項５に記載の照明器具。
【請求項７】
前記接続壁の前記ランプカバーに近い面には、均等間隔で複数の前記ケーブル収容溝が開設され、前記平面状リングと前記カバー体との間には、複数の前記接続アームが設けられ、複数の前記接続アームは互いに間隔をあけて配置されおり、隣接する２つの前記接続アームの間に換気通路が形成され、各前記接続アームの位置は、各前記ケーブル収容溝の位置に一々対応して設置されており、前記接続アームは対応する前記ケーブル収容溝をカバーすることを特徴とする請求項５に記載の照明器具。
【請求項８】
前記接続壁の周方向には、複数の放熱孔が間隔をあけて開設され、前記放熱孔は、前記接続アームとずらして配置されることを特徴とする請求項７に記載の照明器具。
【請求項９】
前記基部は中空の環状を呈し、前記光源板は、環状を呈する基板と、前記基板の周方向に間隔的に設けられる複数のランプビーズと、を含み、前記基板は、締め付け部材を介して前記基部に取り付けられることを特徴とする請求項１から８のいずれか一項に記載の照明器具。
【請求項１０】
前記電源ボックスには、導電ピンがリベットされており、前記導電ピンの一端は、前記駆動ユニットに電気的に接続され、他端は前記電源ボックスから伸び出されており、前記駆動ユニットは、前記導電ピンを介して外部電源に電気的に接続されることを特徴とする請求項１から８のいずれか一項に記載の照明器具。
【考案の詳細な説明】
【技術分野】
【０００１】
本考案は照明設備の技術分野に属し、より具体的には、照明器具に関するものである。
【背景技術】
【０００２】
ＬＥＤシーリングランプのような照明器具は室内照明設備の一つであり、家庭、オフィス、レストラン、娯楽施設などに使用できる。従来のＬＥＤヘッドランプにおいて、シーリングランプベースと電源ボックスのカバーが一体化されて設置され、電源ボックスは底から組み立てられ、ベースに穴を開けて、電源線をケーブル収容溝に導入し、このような構造を採用するＬＥＤヘッドランプは部品を組み立てる時に操作しにくく、製品の組み立て効率が低い。
【考案の概要】
【考案が解決しようとする課題】
【０００３】
本考案の実施例は、従来の照明器具における、組み立てにくく、組み立て効率が低いという技術的問題を解決する照明器具を提供することを目的とする。
【課題を解決するための手段】
【０００４】
上記の目的を達成するために、本考案で採用される技術的解決手段は、
照明器具であって、
互いに接続される基部と収容部とを含み、前記基部は中空であり、前記収容部の周縁は、前記基部の内側と接し、前記収容部には収容溝が開設される、ベースと、
少なくとも部分的に前記収容部に収容される電源ボックスと、
前記電源ボックス内に設けられる駆動ユニットと、
前記ベースに取り付けられ、接続ケーブルを介して前記駆動ユニットに電気的に接続される光源板と、
前記基部に接続されるランプカバーと、を含み、
ここで、前記収容溝の前記ランプカバーに向かう端部に、前記電源ボックスを入れるための入口が形成され、前記ランプカバーは前記入口をカバーし、前記収容部の前記ランプカバーに近い面にはケーブル収容溝が開設され、前記ケーブル収容溝は前記収容溝に連通し、前記光源板と前記収容溝との間の前記接続ケーブルは前記ケーブル収容溝内に配置される照明器具を提供する。
【０００５】
選択的に、前記収容溝の横断面は円形を呈し、前記収容溝の前記入口に対向する他端に端面開口を備え、前記電源ボックスは全体的に筒状を呈し、前記収容溝の溝壁には環状階段面が形成され、前記電源ボックスの外側壁の前記ランプカバーに近い端部は外側に延びてフランジを形成し、前記フランジは前記環状階段面に当接する。
【０００６】
選択的に、前記収容溝の溝壁には、周方向に複数のスタッドが間隔をおいて設けられ、各前記スタッドはそれぞれネジが接続されており、前記スタッドの少なくとも一部分は前記照明器具の中心軸に近い方向に向かって突出して伸び、
前記電源ボックスの外側壁の各前記スタッドに対応する位置は、それぞれ凹んで位置決め溝が形成され、前記スタッドは、対応する前記位置決め溝に適合して収容され、前記フランジの各前記位置決め溝に対応する位置にはそれぞれ通過孔が開設され、前記電源ボックスを前記ベースに固定するために、前記ネジは前記通過孔を通ってスタッドに接続される。
【０００７】
選択的に、前記収容部は、互いに接続されている接続壁と凸状リングとを含み、前記接続壁の周縁は、前記基部の内側に接し、前記接続壁は全体的にボウル状を呈し、且つ横断面の幅は、前記照明器具の光出射端を離れる方向から前記照明器具の光出射端に接近する方向まで徐々に減少し、前記接続壁の前記基部から離れる端部は開口を備え、前記凸状リングは、前記開口に設けられ、且つ前記照明器具の光出射端を離れる方向に突出して伸び、前記凸状リングの内側壁と前記接続壁は共同で収容溝が囲まれ、前記接続壁の前記ランプカバーに近い面に前記ケーブル収容溝が設けられる。
【０００８】
選択的に、前記ランプカバーは、一体的に成形される平面状リングと、接続アームと、カバー体とを含み、前記平面状リングは、前記基部と着脱可能に接続され、前記平面状リングは内部が中空であり、且つ環状を呈し、前記カバー体の横断面は円形を呈し、前記接続アームは、前記平面状リングの内側と前記カバー体の周縁との間に接続され、前記接続アームは前記ケーブル収容溝をカバーし、前記カバー体は、前記収容溝の入口をカバーする。
【０００９】
選択的に、前記接続アームは、前記接続壁に密着され、前記カバー体は前記収容溝の入口の端面に当接する。
【００１０】
選択的に、前記接続壁の前記ランプカバーに近い面には、均等間隔で複数の前記ケーブル収容溝が開設され、前記平面状リングと前記カバー体との間に複数の前記接続アームが設けられ、複数の前記接続アームは互いに間隔をあけて配置されおり、隣接する２つの前記接続アームの間に換気通路が形成され、各前記接続アームの位置は、各前記ケーブル収容溝の位置に一々対応して設置されており、前記接続アームは対応する前記ケーブル収容溝をカバーする。
【００１１】
選択的に、前記接続壁の周方向には、複数の放熱孔が間隔をあけて開設され、前記放熱孔は、前記接続アームとずらして配置される。
【００１２】
選択的に、前記基部は中空の環状を呈し、前記光源板は、環状を呈する基板と、前記基板の周方向に間隔的に設けられる複数のランプビーズと、を含み、前記基板は、締め付け部材を介して前記基部に取り付けられる。
【００１３】
選択的に、前記電源ボックスには、導電ピンがリベットされており、前記導電ピンの一端は、前記駆動ユニットに電気的に接続され、他端は前記電源ボックスから伸び出されており、前記駆動ユニットは、前記導電ピンを介して外部電源に電気的に接続される。
【考案の効果】
【００１４】
本考案に係る照明器具の有益な効果は以下のとおりである。従来技術に比べて、本考案の照明器具は、ベースの収容部には電源ボックスを収容する収容溝が設けられ、組み立てる時に、電源ボックスを上方から直接に収容溝に入れることができる。収容部にはケーブル収容溝が開設されており、接続ケーブルをケーブル収容溝に引き込むことができ、そして光源板に接続され、穴を開けずに操作が簡単である。ランプカバーが組み立った後に収容溝の入口をカバーし、電源ボックス一端のポートをカバーでき、電源ボックスのポートをカバーするための電源ボックスカバーが不要になり、型開きと組み立てのプロセスが削減され、製品の組み立てはシンプルで、組み立て効率が高く、低コストである。
【図面の簡単な説明】
【００１５】
本考案の実施形態に係る技術的解決手段をより明らかにするために、以下、実施例または従来技術の説明に使用する必要がある図面を簡単に説明するが、明らかなことに、以下の説明における図面は、本考案のいくつかの実施例に過ぎない。当業者であれば、創造的な工夫をせずに、これらの図面から他の図面を取得することができる。
【００１６】
【図１】本考案の実施形態により提供される照明器具の斜視図である。
【図２】図１に示す照明器具の別の角度の斜視図である。
【図３】図１に示す照明器具の分解図である。
【図４】図１に示す照明器具の構成の上面図である。
【図５】図４のＡＡ線に沿う断面図である。
【図６】図１に示す照明器具がランプカバーから取り外された構成図である。
【図７】図１に示す照明器具のベースの斜視図である。
【図８】図７に示すベースの別の角度の斜視図である。
【図９】図１に示す照明器具のランプカバーの斜視図である。
【図１０】図３に示す照明器具のボトムベースの斜視図である。
【考案を実施するための形態】
【００１７】
本考案が解決しようとする技術的問題、技術的解決手段および考案の効果をより分かりやすくするために、以下に添付図面および実施例を参照しながら、本考案について詳しく説明する。ここで記載した具体的な実施例は本考案を説明するためのものに過ぎず、本考案を限定するためのものではないことを理解されたい。
【００１８】
ある部材が別の部材に「固定」または「設置」されると称する場合に、それが別の部材に直接的または間接的に位置するようにしてもよい。ある部材が別の部材に「接続」されると称する場合に、それは、別の部材に直接的または間接的に接続されるようにしてもよいことに留意されたい。
【００１９】
本考案の説明において、「長さ」、「幅」、「上」、「下」、「前」、「後」、「左」、「右」、「垂直」、「水平」、「頂」、「底」、「内」、「外」などの用語が示した方位または位置関係は、図面に示された方位または位置関係に基づくものであり、本考案を容易で簡単に説明するためのものに過ぎず、係る装置または部品が特定の方位を有しそして特定の方位で構成し操作しなければならないことを指すかまたは暗示するためのものではないため、本考案を限定するためものではないことを理解されたい。
【００２０】
また、“第１”、“第２”という用語は説明の目的だけに用いられ、比較的重要性を指示するかまたは暗示するか、あるいは示された技術的特徴の数を黙示的に指示するためのものと理解してはいけない。したがって、“第１”、“第２”などで限定された特徴は、１つまたは複数の該特徴を明示的または暗黙的に含むことができる。本考案の説明において、別途明確かつ具体的な限定がない限り、「複数」とは、二つ以上を意味する。
【００２１】
図１から図３を併せて参照しながら、本考案の実施形態によって提供される照明器具について説明する。前記照明器具は、ＬＥＤヘッドランプであってもよいが、それに限定されるものではなく、ベース１００、電源ボックス２００、駆動ユニット３００、光源板４００、およびランプカバー５００を含む。ベース１００は、互いに接続される基部１１０と収容部１２０とを含み、基部１１０は中空の構造を呈し、収容部１２０の周縁は基部１１０の内側と接し、収容部１２０には、収容溝１０１が開設される。電源ボックス２００の一端は、駆動ユニット３００を設置しやすいポートを備え、電源ボックス２００は、少なくとも部分的に収容溝１０１に収容され、電源ボックス２００と収容溝１０１の溝壁との間には、嵌合する位置決め構造が設けられてもよく、電源ボックス２００の取り付けを容易にする。電源ボックス２００と収容溝１０１との間に抜け止め構造が設けられてもよく、電源ボックス２００がベース１００に入れられた後、ベース１００から抜けることを防止する。駆動ユニット３００は電源ボックス２００内に設けられ、駆動ユニット３００は電源ボックス２００内に接着されてもよく、具体的には、接着剤を注ぐ方式で駆動ユニット３００を電源ボックス２００内に固定することを採用できる。ランプカバー５００はベース１００の基部１１０と接続され、両者は脱着可能な構造を採用してもよく、導光および光源の保護のために、ランプカバー５００は透明または半透明な部材を用いてもよい。光源板４００は、ベース１００に取り付けられ、光源板４００は、接続コード（図示せず）を介して駆動ユニット３００と電気的に接続され、光源板４００のランプカバー５００に向かう面には光源が設けられ、光源は複数のＬＥＤランプビーズであってもよい。
【００２２】
本考案によって提供される照明器具は、従来技術と比較すると、ベース１００の収容部１２０に電源ボックス２００を収容する収容溝１０１が設けられ、組み立てる時に、電源ボックス２００を上から直接に収容溝１０１に入れることができる。収容部１２０にはケーブル収容溝１２１が開設されており、接続コードがケーブル収容溝１２１に導入され、そして光源板４００に接続され、穴を開けずに操作が簡単である。ランプカバー５００が組み立てられると収容溝１０１の入口がカバーされ、電源ボックス２００一端のポートをカバーでき、電源ボックス２００のポートをカバーするための電源ボックス２００カバーが不要になり、型開きと組み立てのプロセスが削減され、製品の組み立てはシンプルで、組み立て効率が高く、低コストである。
【００２３】
ベース１００は固定面に取り付けるように使用され、例えば、ネジを介して固定面に取り付け、固定面は天井、テーブルの表面、壁面などであってもよい。ランプカバー５００とベース１００との間は係着方式で組みつけられてもよく、例えば両者の外縁には互いに嵌合する係着構造または他の取り外し可能な接続構造が設けられ、両者の取り外しが容易で、組み立てが便利である。駆動ユニット３００は、光源板４００における光源の動作状態を制御でき、具体的な機能は、光源の発光輝度の調整、動作状態の変更、過熱保護などを含むことができる。ランプカバー５００の光出射面は、艶消し面であってもよく、これにより、光源板４００の光源によって発した光は、柔らかくなり、眩惑を防ぐ。
【００２４】
一実施形態において、図３から図５に示すように、収容溝１０１の入口に対向する他端に端面開口を備え、収容溝１０１の軸方向の両端が共に開口している。収容溝１０１の横断面は円形を呈し、電源ボックス２００は全体的に筒状を呈する。電源ボックス２００と収容溝１０１との間には抜け止め構造が設けられ、収容溝１０１の溝壁には、環状階段面１０２が形成されており、電源ボックス２００の外側のランプカバー５００に近い一端は外側に延びてフランジ２１０が形成され、フランジ２１０は環状階段面１０２に当接し、フランジ２１０と環状階段面１０２との間に抜け止め構造が形成され、電源ボックス２００がベース１００に入れられた後、ベース１００から抜けることを防止する。
【００２５】
電源ボックス２００は、収容溝１０１に入れられた後、電源ボックス２００の一端の端面が収容部１２０の対応端面の下に位置し、電源ボックス２００の他端が収容溝１０１から伸び出すことができる。組み立て時に、電源ボックス２００をベース１００の上方から直接に収容溝１０１に入れ、電源ボックス２００のフランジ２１０が環状階段面１０２に当接し、そして、他の方法で電源ボックス２００をベース１００とさらに組み立てて固定する。電源ボックス２００の周壁の各ケーブル収容溝１２１に対応する位置には、ノッチ２４０を開設してもよく、ノッチ２４０の幅はケーブル収容溝１２１の幅に適合され、このようにして、電源ボックス２００がベース１００に入れられた後、電源ボックス２００のケーブル収容溝１２１に対応する位置は、ケーブル収容溝１２１の内側底面とほぼ揃えられ、配線しやすくなる。
【００２６】
一実施形態において、図３、図５及び図７に示すように、収容溝１０１の溝壁の周方向には、間隔をあけて複数のスタッド１３１が設けられ、各スタッド１３１はそれぞれネジ７００が接続されており、スタッド１３１の少なくとも一部分は照明器具の中心軸に近い方向に向かって突出して伸びる。電源ボックス２００の外側壁の各スタッド１３１に対応する位置は、それぞれ凹んで位置決め溝２２０を形成し、スタッド１３１は、対応する位置決め溝２２０に収容され、フランジ２１０の各位置決め溝２２０に対応する位置には、通過孔２３０が開設され、電源ボックス２００をベース１００に固定するために、ネジ７００は通過孔２３０を通ってスタッド１３１に接続される。
【００２７】
すなわち、スタッド１３１と位置決め溝２２０は、位置決め構造を形成し、組み立て時に、電源ボックス２００を回して、位置決め溝２２０をネジ７００の穴に合わせ、電源ボックス２００をベース１００に入れた後、各ネジ７００をきつく締めることで、電源ボックス２００とベース１００との間の組み立て動作を完了する。
【００２８】
一実施形態において、図６から図８に示すように、収容部１２０は互いに接続されている接続壁１２０と凸状リング１３０とを含み、接続壁１２０の周縁は基部１１０の内側と接し、接続壁１２０と凸状リング１３０とが一体的に成形される。接続壁１２０は全体的にボウル状を呈し、照明器具の光出射端を離れる方向から照明器具の光出射端に近い方向まで徐々に減少し、接続壁１２０の基部１１０のから離れる端部は開口を備え、凸状リング１３０は開口に設けられ、且つ照明器具の光出射端に離れる方向に突出して伸びている。凸状リング１３０の中心軸は照明器具の中心軸と重なり、凸状リング１３０の内側壁と接続壁１２０は共同で収容溝１０１が囲まれ、接続壁１２０のランプカバー５００に近い面にケーブル収容溝１２１が設けられる。電源ボックス２００を組みつけた後、電源ボックス２００のランプカバー５００から離れる端部は、ベース１００の基部１１０の底面に揃えられるかまたはほぼ揃えられ、すなわち、接続壁１２０が片側に突出する距離は、電源ボックス２００の厚さに応じて設定できる。
【００２９】
一実施形態において、図１、図７および図９に示すように、ランプカバー５００は、一体成形される平面状リング５１０と、接続アーム５２０と、カバー体５３０とを含み、平面状リング５１０は内部が中空であり、且つ環状を呈し、カバー体５３０の横断面は円形を呈し、接続アーム５２０は、平面状リング５１０の内側とカバー体５３０の周縁との間に接続され、接続アーム５２０はケーブル収容溝１２１をカバーし、カバー体５３０は収容溝１０１の入口をカバーする。カバー体５３０の直径は、収容溝１０１の直径よりやや大きい。
【００３０】
平面状リング５１０とカバー体５３０との間の接続強度を保証するとともに、照明器具の放熱性能を両立させることができるように、接続アーム５２０の幅と数は、実際の応用状況に応じて設定されてもよい。ランプカバー５００の全体的な輪郭はベース１００の全体的な輪郭と類似しており、接続アーム５２０のカバー体５３０に近い端部は、照明器具の中心軸に向かって傾いている。照明器具の軸方向に沿って、ランプカバー５００のカバー体５３０と平面状リング５１０との間に間隔があり、カバー体５３０、平面状リング５１０及び収容溝１０１の三者の中心軸が重なっている。
【００３１】
平面状リング５１０は基部１１０と着脱可能に接続され、例えば係合構造を採用する。具体的には、平面状リング５１０周囲には周方向に複数の係止フック５１１が均等間隔で設置され、平面状リング５１０周囲の各係止フック５１１に近い位置にそれぞれ係止孔５１２が設けられており、基部１１０周囲の各係止フック５１１に対応する位置にはそれぞれ逃げ溝１１２が開設され、基部１１０周囲の逃げ溝１１２に対応する位置には突起１１１が設けられてもよく、突起１１１が係止孔５１２と嵌合し、取り付け時に、平面状リング５１０の係止孔５１２を対応する位置の突起１１１に位置合わせて、そして下方向に押すと、係止フック５１１が基部１１０の底面をロックし、突起１１１が係止孔５１２に係合し、ランプカバー５００とベース１００との間の組み立てを実現する。平面状リング５１０と基部１１０との間には、位置決め階段とリング状位置決め溝２２０などの互いに嵌合する位置決め構造が設けられてもよい。
【００３２】
一実施形において、図５、図７および図９に示すように、接続アーム５２０は接続壁１２０に密着し、カバー体５３０は収容溝１０１の入り口の端面に当接し、このように、製品組み立て後の構造がコンパクトで、製品の厚さが小さいである。接続アーム５２０の幅は、ケーブル収容溝１２１の幅に適合し、ケーブル収容溝１２１の溝壁には階段が形成されてもよく、接続アーム５２０の幅方向の両側が階段に当接し、ランプカバー５００をベース１００に取り付ける時に、接続アーム５２０の少なくとも一部がケーブル収容溝１２１内に収容され、これにより照明器具の全体的な厚さを低減でき、製品はより薄くすることができる。接続アーム５２０とカバー体５３０と接続される回転角はアーチ状遷移としてもよく、ケーブル収容溝１２１の階段の回転角は同様にアーチ状遷移とし、これにより組み立て時にベース１００を傷つけることを回避できる。
【００３３】
一実施形態において、図６および図７に示すように、接続壁１２０のランプカバー５００に近い面には、均等間隔で複数のケーブル収容溝１２１が開設され、平面状リング５１０とカバー体５３０との間には、複数の接続アーム５２０が設けられ、複数の接続アーム５２０は互いに間隔をあけて配置されており、複数の接続アーム５２０は均等間隔で配置されてもよく、隣接する２つの接続アーム５２０の間に換気通路５０１が形成され、各接続アーム５２０の位置は、各ケーブル収容溝１２１の位置と一々対応して設置されており、接続アーム５２０は対応するケーブル収容溝１２１をカバーする。組み立て時、接続ケーブルの一端は、そのうち距離が一番小さいケーブル収容溝１２１を貫通でき、これにより接続ケーブルが短いという問題が発生しない。
【００３４】
一実施形態において、図７及び図８に示すように、接続壁１２０の周方向には複数の放熱孔１２２が間隔をあけて設けられ、放熱孔１２２は接続アーム５２０とずらして配置され、これにより、電源ボックス２００が発生した熱量は順に放熱孔１２２、換気通路５０１から外部に放出され、照明器具の放熱性能は良好で、製品の使用寿命は長い。一実施形態において、接続壁１２０の周方向には、均等間隔で３つの円弧状の放熱孔１２２が開設され、接続アーム５２０は３つ設けられ、隣接する２つの接続アーム５２０は１２０°の間隔で配置され、各円弧状の放熱孔１２２は接続アーム５２０とずらして、正面から見ると、照明器具は全体的にハンドルに似た構造を呈する。
【００３５】
一実施形態において、図３、図６および図７に示すように、基部１１０は中空の環状を呈する。光源板４００は、環状を呈する基板４１０と、基板４１０の周方向に間隔をあけて設置される複数のランプビーズ４２０と、を含み、基板４１０は、締め付け部材を介してベース１００に取り付けられる。基板４１０は一体的に成形される且つ環状を呈するアルミニウム基板であってもよく、複数の扇形のアルミニウム基板をつなぎわせることで構成されてもよく、例えば、３つの大きさが一致する扇形アルミニウム基板をつなぎわせることで構成される。光源板４００、ベース１００、及びランプカバー５００の三者の中心軸線が重なっている。具体的には複数のランプビーズ４２０は、基板４１０上の周方向に等間隔で配置されてもよく、締付部品はネジを使用でき、すなわち、ネジを介して光源板４００をベース１００の基部１１０に嵌合して固定する。ベース１００全体のサイズの変化が小さいため、古いランプを置き換えることができ、互換性を満たし、固定面に穴を開けたり、溝を掘ったりする必要がなく、コストが節約され、固定面の本来の姿を保持できる。
【００３６】
駆動ユニット３００の出力端には、オスコネクタが設けられてもよく、接続ケーブルの一端は光源板４００の入力端と接続され、接続ケーブルの他端はオスコネクタに適合するメスコネクタが設けられてもよい。
【００３７】
一実施形態において、図３及び図１０に示すように、電源ボックス２００には導電ピン６００がリベットされており、導電ピン６００の一端は駆動ユニット３００に電気的に接続され、他端は電源ボックス２００から伸び出されており、駆動ユニット３００は導電ピン６００を介して外部電源に電気的に接続され、導電ピン６００は間隔をあけて配置される１セットの銅針であってもよい。
【００３８】
組み立て時、２つの銅針を電源ボックス２００にリベットして締め付け、駆動ユニット３００を電源ボックス２００内に配置し、そして電源ボックス２００に接着剤を注ぎ、接着剤が乾燥した後、電源ボックス２００を上方からベース１００の収容溝１０１に入れ、ネジ７００で電源ボックス２００とベース１００を締めつけ、光源板４００をベース１００に取り付け、接続ケーブルで光源板４００を駆動ユニット３００に接続し、接続ケーブルをケーブル収容溝１２１に入れ、最後にランプカバー５００をベース１００にカバーし、ランプカバー５００をベース１００に位置合わせて係合する。製品の組み立て操作はステップが少なく、装置の操作は簡単で、組み立て効率が高く、全体の部品の数は少なく、コストも低く、量産に適している。
【００３９】
電源ボックス２００内にも、駆動ユニット３００と電気的に接続されている駆動電源が設けられてもよく、電源ボックス２００には、導電ピン６００がリベットされており、導電ピン６００の一端は、ケーブルを介して駆動電源に電気的に接続されてもよく、他端は電源ボックス２００から伸び出されており、駆動電源と外部電源との間は、導電ピン６００を介して電気的に接続されている。
【００４０】
上記は本考案の優れた実施例に過ぎず、本考案を制限するものではない。本考案の精神及び原則内になされたあらゆる変更、同等物による置換及び改良等は、本考案の保護範囲内に含まれるはずである。
【符号の説明】
【００４１】
１００  ベース
２００  電源ボックス
３００  駆動ユニット
４００  光源板
５００  ランプカバー
６００  導電ピン
７００  ネジ
１０１  収容溝
１０２  環状階段面
１１０  基部
１２０  収容部
１１１  突起
１１２  逃げ溝
１２０  接続壁
１２１  ケーブル収容溝
１２２  放熱孔
１３０  凸状リング
１３１  スタッド
２１０  フランジ
２２０  位置決め溝
２３０  通過孔
２４０  ノッチ
４１０  基板
４２０  ランプビーズ
５０１  換気通路
５１０  平面状リング
５１１  係止フック
５１２  係止孔
５２０  接続アーム
５３０  カバー体
【図１】
0003227533.tif 000003
【図２】
0003227533.tif 000004
【図３】
0003227533.tif 000005
【図４】
0003227533.tif 000006
【図５】
0003227533.tif 000007
【図６】
0003227533.tif 000008
【図７】
0003227533.tif 000009
【図８】
0003227533.tif 000010
【図９】
0003227533.tif 000011
【図１０】
0003227533.tif 000012